(57)【特許請求の範囲】
【請求項１】
操作プラットフォームを含み、
前記操作プラットフォームの上面にワイヤコントロールアセンブリを配置するためのワイヤコントロール配置領域とヘッドホンケーブルを配置するための配線溝とが設けられ、
前記ワイヤコントロール配置領域の操作プラットフォームに、ワイヤコントロールアセンブリにおけるコンタクトに対応したタッチコントロール穴が複数設けられ、
前記操作プラットフォームに複数の支柱が摺動可能に取り付けられ、
前記支柱が前記タッチコントロール穴と一対一で対応し、
前記支柱が、前記タッチコントロール穴に対応したタッチコントロール端と前記操作プラットフォームから延出した操作端とを有し、
前記操作プラットフォームに、ヘッドホンプラグを接続するためのレセプタクルが設けられ、
前記レセプタクルが回路板に接続され、
前記回路板に、試験ユニットを接続するための試験プローブ接続端子が設けられている
ことを特徴とするワイヤコントロールヘッドホンの組立及び試験に用いる多機能装置。
【請求項２】
前記操作プラットフォームが、一体に固着されたケース及び上蓋を含み、
前記ワイヤコントロール配置領域、配線溝及びタッチコントロール穴はいずれも前記上蓋に設けられ、
前記ケース内に支柱スリーブが設けられ、
前記支柱スリーブが前記ケースと一体に設けられ、
前記支柱が前記支柱スリーブ内に摺動して取り付けられている
ことを特徴とする請求項１に記載のワイヤコントロールヘッドホンの組立及び試験に用いる多機能装置。
【請求項３】
前記ケース内に前記レセプタクル及び前記回路板を固着する取付チャンバが設けられ、
前記ケースに、ヘッドホンプラグを前記レセプタクルに接続するのに便利なヘッドホンプラグ接続通路が設けられ、
前記上蓋に試験プローブ接続穴が設けられ、
前記試験プローブ接続穴の位置が前記試験プローブ接続端子に対応している
ことを特徴とする請求項２に記載のワイヤコントロールヘッドホンの組立及び試験に用いる多機能装置。
【請求項４】
前記試験プローブ接続端子に信号伝送弾性片が接続され、
前記信号伝送弾性片の端部が前記試験プローブ接続穴内に設けられている
ことを特徴とする請求項３に記載のワイヤコントロールヘッドホンの組立及び試験に用いる多機能装置。
【請求項５】
前記ケースに、前記支柱を前記支柱スリーブ内に制限するための支柱蓋板が設けられ、
前記支柱の前記操作端が前記支柱蓋板から延出し、
前記支柱の前記タッチコントロール端と前記支柱スリーブとの間にリターンスプリングが設けられている
ことを特徴とする請求項２に記載のワイヤコントロールヘッドホンの組立及び試験に用いる多機能装置。
【請求項６】
前記操作プラットフォームに、ヘッドホンのケーブル材又はその他の器材を収納するための収納ケースが設けられ、
前記収納ケースが前記ワイヤコントロール配置領域の一側に設けられている
ことを特徴とする請求項１〜請求項５のいずれか１つに記載のワイヤコントロールヘッドホンの組立及び試験に用いる多機能装置。
【請求項７】
前記操作プラットフォームの底部に耐摩耗底板が設けられていることを特徴とする請求項６に記載のワイヤコントロールヘッドホンの組立及び試験に用いる多機能装置。
【発明の詳細な説明】
【技術分野】
【０００１】
本発明は、電子製品の組立及び試験装置に関し、特に、ワイヤコントロールヘッドホンの組立及び試験に用いる多機能装置に関する。
【背景技術】
【０００２】
近年、人々の消費者態度が絶えずエスカレートしているのに伴って、多くの消費者は、できるだけヘッドホンのワイヤコントロールによって携帯電話又はプレイヤーを操作することを希望しているため、ワイヤコントロールヘッドホンの設計、生産に対してより高い要求が求められている。
【０００３】
現在、ワイヤコントロールヘッドホンの生産・試験は、自動化、情報化の方向に向かって発展しており、ワイヤコントロールヘッドホンの生産過程においては、ワイヤコントロールアセンブリの取付け、ワイヤコントロールアセンブリの試験等の異なるステーションを経てワイヤコントロールヘッドホンの組立及び試験が完了する。しかし、異なるステーションの間では異なる装置に置き換えてヘッドホンを収納し試験する必要があるため、生産効率が低下するだけではなく、ヘッドホンのワイヤコントロールアセンブリの損傷も引き起こしやすくなる。このため、生産過程の全体に通用可能な多機能装置が差し迫って必要とされる。
【発明の概要】
【発明が解決しようとする課題】
【０００４】
本発明が解決しようとする課題は、従来のワイヤコントロールヘッドホンの生産過程において異なるステーションの間でプロセス用設備が通用できないことによる生産効率の低下を抑制するために、ワイヤコントロールヘッドホンの組立及び試験に用いる多機能装置を提供することにある。
【課題を解決するための手段】
【０００５】
上記課題を解決するために、本発明の一態様は、ワイヤコントロールヘッドホンの組立及び試験に用いる多機能装置が、操作プラットフォームを含み、操作プラットフォームの上面に、ワイヤコントロールアセンブリを配置するためのワイヤコントロール配置領域とヘッドホンケーブルを配置するための配線溝とが設けられ、ワイヤコントロール配置領域の操作プラットフォームに、ワイヤコントロールアセンブリにおけるコンタクトに対応したタッチコントロール穴が複数設けられ、操作プラットフォームに複数の支柱が摺動可能に取り付けられ、支柱がタッチコントロール穴に一対一で対応し、支柱が、タッチコントロール穴に対応したタッチコントロール端と操作プラットフォームから延出した操作端とを有し、操作プラットフォームに、ヘッドホンプラグを接続するためのレセプタクルが設けられ、レセプタクルが回路板に接続され、回路板に、試験ユニットを接続するための試験プローブ接続端子が設けられているものである。
【０００６】
この多機能装置において、操作プラットフォームが、一体に固着されたケース及び上蓋を含み、ワイヤコントロール配置領域、配線溝及びタッチコントロール穴はいずれも上蓋に設けられ、ケース内に支柱スリーブが設けられ、支柱スリーブがケースと一体に設けられ、支柱が支柱スリーブ内に摺動可能に取り付けられることもできる。
【０００７】
上記ケース内に、レセプタクル及び回路板を固着する取付チャンバが設けられ、ケースに、ヘッドホンプラグをレセプタクルに接続するのに便利なヘッドホンプラグ接続通路が設けられ、上蓋に試験プローブ接続穴が設けられ、試験プローブ接続穴の位置が試験プローブ接続端子に対応してもよい。これに加えて、試験プローブ接続端子に信号伝送弾性片が接続され、信号伝送弾性片の端部が試験プローブ接続穴内に設けられてもよい。
【０００８】
あるいは、上記ケースに、支柱を支柱スリーブ内に制限するための支柱蓋板が設けられ、支柱の操作端が支柱蓋板から延出し、支柱のタッチコントロール端と支柱スリーブとの間にリターンスプリングが設けられてもよい。
【０００９】
これらの多機能装置において、操作プラットフォームに、ヘッドホンのケーブル材又はその他の器材を収納するための収納ケースが設けられ、収納ケースがワイヤコントロール配置領域の一側に設けられてもよい。これに加えて、操作プラットフォームの底部に耐摩耗底板が設けられもよい。
【発明の効果】
【００１０】
本発明のワイヤコントロールヘッドホンの組立及び試験に用いる多機能装置によれば、以下の有益な効果がある。ワイヤコントロールヘッドホンの組立及び試験に用いる多機能装置は、操作プラットフォームを含み、操作プラットフォームの上面にワイヤコントロール配置領域及び配線溝が設けられ、操作プラットフォームによってワイヤコントロールアセンブリの取付けを完了できる。また、ワイヤコントロール配置領域にタッチコントロール穴が設けられ、タッチコントロール穴が支柱と一対一で対応し、支柱がタッチコントロール端と操作端とを有し、操作プラットフォームに更にレセプタクルが設けられ、レセプタクルが回路板に接続され、回路板に試験プローブ接続端子が設けられ、ヘッドホンプラグがレセプタクルに挿入された後、支柱の操作端を押圧することによってタッチコントロール端をワイヤコントロールアセンブリにおけるコンタクトに接触させ、その後、回路板における試験プローブ接続端子を介して信号を外部試験装置に伝送してワイヤコントロールアセンブリの試験を完了できる。このため、ワイヤコントロールヘッドホンの組立及び試験に用いる多機能装置は、ワイヤコントロールアセンブリの取付け及び試験を完成することができ、異なるステーションの間のプロセス用設備の通用性が実現され、生産効率が大いに向上する。
【００１１】
操作プラットフォームがケース及び上蓋を含み、ワイヤコントロール配置領域、配線溝及びタッチコントロール穴はいずれも上蓋に設けられ、ケース内に支柱スリーブが設けられ、支柱スリーブがケースと一体に設けられ、支柱が支柱スリーブ内に摺動可能に取り付けられているため、操作プラットフォームを分割構造とすることによって、異なる型番のヘッドホンに応じてそれに応じた上蓋を置き換えることができ、操作プラットフォームの通用性が向上する。
【００１２】
ケース内に取付チャンバ及びヘッドホンプラグ接続通路が設けられ、上蓋に試験プローブ接続穴が設けられ、試験プローブ接続穴の位置が試験プローブ接続端子に対応しているため、レセプタクル及び回路板を取付チャンバ内に取り付けることができ、構造がコンパクトになり、スペースが大幅に節約される。
【００１３】
試験プローブ接続端子に信号伝送弾性片が接続され、信号伝送弾性片の端部が試験プローブ接続穴内に設けられているため、信号伝送弾性片を介して回路板の信号を上蓋に伝送し、外部試験装置のプローブを上蓋の試験プローブ接続穴に接続すればよく、操作が容易である。
【００１４】
ケースに、支柱を支柱スリーブ内に制限するための支柱蓋板が設けられ、支柱の操作端が支柱蓋板から延出し、支柱のタッチコントロール端と支柱スリーブとの間にリターンスプリングが設けられているため、タッチコントロール端がワイヤコントロールアセンブリにおけるコンタクトに接触したとき、リターンスプリングが緩衝作用を果たし、ワイヤコントロールアセンブリにおけるコンタクトが押されて壊れてしまうことを防ぎ、同時に、支柱がリターンスプリングの作用で自動的に復位することができ、操作が容易で、構造が簡単である。
【００１５】
操作プラットフォームに収納ケースが設けられ、収納ケースがワイヤコントロール配置領域の一側に設けられているため、収納ケースを、ヘッドホンのケーブル材又はその他の器材を収納するために用いることができ、操作が容易で、生産ラインの整然性が確保される。
【００１６】
操作プラットフォームの底部に耐摩耗底板が設けられているため、生産ラインでの転送過程においてケースが摩耗し、位置決め精度に影響を与えるのを防ぐことができる。
【図面の簡単な説明】
【００１７】
【図１】本発明にかかる実施例の構造模式図である。
【図２】図１の縦断面構造模式図である。
【図３】図１の分解構造模式図である。
【図４】上蓋の正面の構造模式図である。
【図５】上蓋の反面の構造模式図である。
【図６】レセプタクル、回路板及び信号伝送弾性片の構造模式図である。
【図７】ケースの底面の分解構造模式図である。
【発明を実施するための形態】
【００１８】
本発明の目的、技術方案及び利点が更に明確になるように、以下、図面及び実施例を参照しながら、本発明を更に詳しく説明する。ここに記載した具体的な実施例は、あくまでも本発明を解釈するためのものであり、本発明を限定するためのものではない。
【００１９】
図１、図２及び図３に共に示すように、ワイヤコントロールヘッドホンの組立及び試験に用いる多機能装置は、操作プラットフォーム１を含み、操作プラットフォーム１の上面に、ワイヤコントロールアセンブリを配置するためのワイヤコントロール配置領域２とヘッドホンケーブルを配置するための配線溝３とが設けられている。ヘッドホンケーブルを配線溝３に配置することにより、ヘッドホンケーブルが他の器具に押されて壊れてしまうのを防ぐことができる。ワイヤコントロール配置領域２の操作プラットフォーム１に、ワイヤコントロールアセンブリにおけるコンタクトに対応したタッチコントロール穴４が複数設けられている。また、操作プラットフォーム１には、複数の支柱５が摺動可能に取り付けられている。支柱５はタッチコントロール穴４と一対一で対応している。支柱５は、タッチコントロール穴４に対応したタッチコントロール端５１と操作プラットフォーム１から延出した操作端５２とを有している。操作プラットフォーム１には、ヘッドホンプラグを接続するためのレセプタクル６が設けられている。レセプタクル６には、プラグレセプタクル又はＵＳＢレセプタクルが含まれる。レセプタクル６は回路板７に接続され、回路板７には、試験ユニットを接続するための試験プローブ接続端子が設けられている。
【００２０】
図３〜図７に共に示すように、操作プラットフォーム１は、接続ピラーを介して一体に固着されるケース１１及び上蓋１２を含む。ワイヤコントロール配置領域２、配線溝３及びタッチコントロール穴４はいずれも上蓋１２に設けられている。ケース１１内には、支柱スリーブ８が設けられ、支柱スリーブ８はケース１１と一体に設けられており、支柱５は支柱スリーブ８内で摺動可能に取り付けられている。操作プラットフォーム１を分割構造にすることで、ケーブル材の太さが異なる、ワイヤコントロールアセンブリのサイズが異なるヘッドホンの組立ニーズを満たすべく、ヘッドホンのケーブル材の太さ、ワイヤコントロールアセンブリのサイズ及びコンタクトの多少に応じて適当な上蓋１２を選択することができるので、操作プラットフォームの通用性が向上する。ケース１１の両端には、ケース１１を各種の設備に位置決めするための位置決め穴１３が設けられ、位置決め穴１３内には、位置決めピンブッシュ１４が嵌め込まれている。位置決めピンブッシュ１４はステンレス鋼製であり、精確な位置決めの実現が可能である。
【００２１】
図３〜図６に共に示すように、ケース１１内には、レセプタクル６及び回路板７を固着する取付チャンバ９が設けられている。ケース１１には、ヘッドホンプラグをレセプタクル６に接続するのに便利なヘッドホンプラグ接続通路１５が設けられている。上蓋１２には試験プローブ接続穴１６が設けられており、試験プローブ接続穴１６の位置が試験プローブ接続端子に対応している。レセプタクル６及び回路板７は、取付チャンバ９内に取り付けられており、これにより、構造がコンパクトになり、スペースが大幅に節約される。試験プローブ接続端子には信号伝送弾性片１０が接続され、信号伝送弾性片１０の端部が試験プローブ接続穴１６内に設けられている。回路板７の信号を、信号伝送弾性片１０を介して上蓋１２に伝送するためには、外部試験装置のプローブを上蓋１２の試験プローブ接続穴１６に接続すればよく、操作が容易である。
【００２２】
図３に示すように、ケース１１に、支柱５を支柱スリーブ８内に制限するための支柱蓋板５３が設けられて、支柱５の操作端５２は支柱蓋板５３から延出している。支柱５のタッチコントロール端５１と支柱スリーブ８との間には、リターンスプリング５４が設けられている。タッチコントロール端５１がワイヤコントロールアセンブリにおけるコンタクトに接触したとき、リターンスプリング５４が緩衝作用を果たし、ワイヤコントロールアセンブリにおけるコンタクトが押されて壊れてしまうことを防ぎ、同時に、支柱５がリターンスプリング５４の作用で、自動的に復位することができ、操作が容易で、構造が簡単である。
【００２３】
図１及び図７に共に示すように、操作プラットフォーム１には、ヘッドホンのケーブル材又はその他の器材を収納するための収納ケース１７が設けられている。収納ケース１７は、ワイヤコントロール配置領域２の一側に設けられている。収納ケース１７は、ヘッドホンのケーブル材又はその他の器材を収納するために使われ、ヘッドホンのケーブル材を直径が小さなサークルに纏めて縛って収納ケース１７に入れることができる。これにより、操作が容易となり、生産ラインの整然性が確保される。操作プラットフォーム１の底部には、締結具を介して耐摩耗底板１８が接続されている。締結具には接続ナット１９及びネジが含まれる。接続ナット１９はケース１１に嵌め込んで射出成形されており、生産ラインの転送過程においてケースが摩耗し、位置決め精度に影響を与えるのを防ぐことができる。
【００２４】
本発明に係る実施例によるワイヤコントロールヘッドホンの組立及び試験に用いる多機能装置は、操作プラットフォーム１を含み、操作プラットフォーム１の上面にワイヤコントロール配置領域２及び配線溝３が設けられており、操作プラットフォーム１によってワイヤコントロールアセンブリの取付けを完了することができる。また、ワイヤコントロール配置領域２にはタッチコントロール穴４が設けられている。タッチコントロール穴４は支柱５と一対一で対応しており、支柱５はタッチコントロール端５１と操作端５２とを有している。操作プラットフォーム１には更にレセプタクル６が設けられている。レセプタクル６は回路板７に接続され、回路板７に試験プローブ接続端子が設けられている。ヘッドホンプラグがレセプタクル６に挿入された後、支柱５の操作端５２を押圧することによってタッチコントロール端５１をワイヤコントロールアセンブリにおけるコンタクトに接触させ、その後、回路板７における試験プローブ接続端子を介して信号を外部試験装置に伝送してワイヤコントロールアセンブリの試験を完了する。したがって、ワイヤコントロールヘッドホンの組立及び試験に用いる多機能装置は、ワイヤコントロールアセンブリの取付け及び試験を完了することができ、異なるステーションの間のプロセス用設備の通用性が実現され、生産効率が大いに向上する。
【００２５】
上記したのは、あくまでも本発明の好ましい実施例であり、本発明を限定するためのものではない。本発明の精神及び範囲内でなされたすべての補正、同等の置換・改善等は、いずれも本発明に含まれるものとされる。
【符号の説明】
【００２６】
１    操作プラットフォーム
１１  ケース
１２  上蓋
１３  位置決め穴
１４  位置決めピンブッシュ、
１５  ヘッドホンプラグ接続通路
１６  試験プローブ接続穴
１７  収納ケース
１８  耐摩耗底板
１９  接続ナット
２    ワイヤコントロール配置領域
３    配線溝
４    タッチコントロール穴
５    支柱
５１  タッチコントロール端
５２  操作端
５３  支柱蓋板
５４  リターンスプリング
６    レセプタクル
７    回路板
８    支柱スリーブ
９    取付チャンバ
１０  信号伝送弾性片
【要約】
【課題】生産効率を向上させる。
【解決手段】ワイヤコントロールヘッドホンの組立及び試験に用いる多機能装置は、操作プラットフォームを含み、操作プラットフォームの上面にワイヤコントロール配置領域及び配線溝が設けられる。この操作プラットフォームでワイヤコントロールアセンブリの取付けを完了する。また、ワイヤコントロール配置領域にタッチコントロール穴が設けられ、タッチコントロール穴と一対一で対応する支柱がタッチコントロール端と操作端とを有し、レセプタクルが接続される回路板に試験プローブ接続端子が設けられる。ヘッドホンプラグがレセプタクルに挿入された後、支柱の操作端を押圧することでタッチコントロール端をワイヤコントロールアセンブリのコンタクトに接触させ、その後、回路板における試験プローブ接続端子を介して信号を外部試験装置に伝送してワイヤコントロールアセンブリの試験を完了する。
【選択図】図１【図１】
0005876200.tif 000002
【図２】
0005876200.tif 000003
【図３】
0005876200.tif 000004
【図４】
0005876200.tif 000005
【図５】
0005876200.tif 000006
【図６】
0005876200.tif 000007
【図７】
0005876200.tif 000008